(57)【要約】      （修正有）【課題】縦糸と横糸とを上下に交差させたことによる凹凸が形成された平織カーペットの風合いを維持しつつ、裏面に滑り止めネットが強固に貼り付けられた平織カーペット及びその製造方法を提供する。【解決手段】縦糸と横糸とを交差させ、表面及び裏面に縦糸及び横糸による凹凸を形成した平織カーペット２において、前記裏面に空隙部が二次元配列した網目状の滑り止めネット３が貼り付けられており、前記裏面の周縁部にさらに帯状の布材４が設けられており、前記滑り止めネット３の周縁部が前記平織カーペット２と前記帯状の布材４とにより挟んで固定されている滑り止め付き平織カーペット１。【選択図】図１
2020025795.tif 000002
【特許請求の範囲】
【請求項１】
縦糸と横糸とを交互に通して上下に交差させ、表面及び裏面に縦糸及び横糸による凹凸を形成した平織カーペットにおいて、前記裏面に空隙部が二次元配列した網目状の滑り止めネットが貼り付けられており、前記裏面の周縁部にさらに帯状の布材が設けられており、前記滑り止めネットの周縁部が前記平織カーペットと前記帯状の布材とにより挟んで固定されていることを特徴とする滑り止め付き平織カーペット。
【請求項２】
請求項１に記載の滑り止め付き平織カーペットにおいて、前記滑り止めネットの表面空隙率は20〜80％であることを特徴とする滑り止め付き平織カーペット。
【請求項３】
請求項１又は２に記載の滑り止め付き平織カーペットにおいて、前記帯状の布材の幅は３〜７cmであることを特徴とする滑り止め付き平織カーペット。
【請求項４】
請求項１〜３のいずれかに記載の滑り止め付き平織カーペットにおいて、前記平織カーペットと前記帯状の布材の間には、前記滑り止めネットが面積比で50％以上設けられていることを特徴とする滑り止め付き平織カーペット。
【請求項５】
請求項１〜４のいずれかに記載の滑り止め付き平織カーペットにおいて、前記帯状の布材は、前記滑り止めネットを介して、前記平織カーペットに周方向に沿って二重に縫い合わされていることを特徴とする滑り止め付き平織カーペット。
【請求項６】
請求項１〜５のいずれかに記載の滑り止め付き平織カーペットにおいて、前記滑り止めネットはポリ塩化ビニル、シリコーン樹脂、アクリル樹脂又はポリウレタンからなることを特徴とする滑り止め付き平織カーペット。
【請求項７】
請求項１〜６のいずれかに記載の滑り止め付き平織カーペットにおいて、前記滑り止めネットは前記裏面に接着剤により貼り付けられており、前記接着剤は天然ゴム又は合成ゴムのラテックス系接着剤であることを特徴とする滑り止め付き平織カーペット。
【請求項８】
請求項１〜７のいずれかに記載の滑り止め付き平織カーペットにおいて、前記平織カーペットは手織りであり、前記縦糸及び前記横糸はそれぞれ１cm当たり８本以下であることを特徴とする滑り止め付き平織カーペット。
【請求項９】
請求項１〜８のいずれかに記載の滑り止め付き平織カーペットにおいて、前記滑り止めネットの空隙部のアスペクト比は２以上であることを特徴とする滑り止め付き平織カーペット。
【請求項１０】
請求項１〜９のいずれかに記載の滑り止め付き平織カーペットを製造する方法であって、前記裏面に接着剤を噴霧又は塗布して前記滑り止めネットを貼り付けた後、前記帯状の布材をさらに設けることを特徴とする滑り止め付き平織カーペットの製造方法。
【発明の詳細な説明】
【技術分野】
【０００１】
本発明は滑り止め付き平織カーペット及びその製造方法に関する。
【背景技術】
【０００２】
部屋の床面に敷設するカーペットとして、タイルカーペットやパイル織りのカーペット等の種々のカーペットが用いられているが、縦糸と横糸とを交互に通して上下に交差させた平織カーペットが、その価格帯と風合いから人気を集めてきている。
【０００３】
しかし、平織カーペットは、表面及び裏面のいずれにも縦糸と横糸とを上下に交差させたことによる凹凸が形成されているため、裏面の表面抵抗が小さく、敷設した際にカーペットが床面で滑りやすいという問題がある。そこで、平織カーペットと床面との間に、滑り止め用のネットを敷設することによりカーペットが滑るのを防止しているが、平織カーペットとネットを別々に敷設するため、手間がかかる上に、ネットが平織カーペットからはみ出して見た目が悪くなる。
【０００４】
裏面に滑り止めネットが貼り付けられたカーペットも開発・販売されているが、平織カーペットの裏面は縦糸及び横糸による凹凸が形成されているため、特開2016-220725号公報（特許文献１）のように単純に滑り止めネットを貼り付けると剥離しやすく、また特開2007-51449号公報（特許文献２）のように滑り止め用の樹脂層やゴム層を裏面全面に貼り付けると、平織カーペットの風合いが壊れてしまう。
【０００５】
【特許文献１】特開2016-220725号公報
【特許文献２】特開2007-51449号公報
【発明の概要】
【発明が解決しようとする課題】
【０００６】
従って本発明の目的は、縦糸と横糸とを上下に交差させたことによる凹凸が形成された平織カーペットの風合いを維持しつつ、裏面に滑り止めネットが強固に貼り付けられた平織カーペット及びその製造方法を提供することである。
【課題を解決するための手段】
【０００７】
上記目的に鑑み鋭意研究の結果、本発明者は、縦糸と横糸とを交互に通して上下に交差させ、表面及び裏面に縦糸及び横糸による凹凸を形成した平織カーペットにおいて、裏面に空隙部が二次元配列した網目状の滑り止めネットを貼り付け、裏面の周縁部にさらに帯状の布材を設けることにより、平織カーペットの風合いを維持しつつ、裏面に滑り止めネットが強固に貼り付けられた平織カーペットが得られることを発見し、本発明に想到した。
【０００８】
すなわち、本発明の一実施態様である滑り止め付き平織カーペットは、縦糸と横糸とを交互に通して上下に交差させ、表面及び裏面に縦糸及び横糸による凹凸を形成した平織カーペットにおいて、前記裏面に空隙部が二次元配列した網目状の滑り止めネットが貼り付けられており、前記裏面の周縁部にさらに帯状の布材が設けられており、前記滑り止めネットの周縁部が前記平織カーペットと前記帯状の布材とにより挟んで固定されていることを特徴とする。
【０００９】
前記滑り止めネットの表面空隙率は20〜80％であるのが好ましく、前記帯状の布材の幅は３〜７cmであるのが好ましい。
【００１０】
前記平織カーペットと前記帯状の布材の間には、前記滑り止めネットが面積比で50％以上設けられているのが好ましい。
【００１１】
前記帯状の布材は、前記滑り止めネットを介して、前記平織カーペットに周方向に沿って二重に縫い合わされているのが好ましい。
【００１２】
前記滑り止めネットはポリ塩化ビニル、シリコーン樹脂、アクリル樹脂又はポリウレタンからなるのが好ましい。
【００１３】
前記滑り止めネットは前記裏面に接着剤により貼り付けられており、前記接着剤は天然ゴム又は合成ゴムのラテックス系接着剤であるのが好ましい。
【００１４】
前記平織カーペットは手織りであり、前記縦糸及び前記横糸はそれぞれ１cm当たり８本以下であるのが好ましい。
【００１５】
前記滑り止めネットの空隙部のアスペクト比は２以上であるのが好ましい。
【００１６】
本発明の一実施態様である滑り止め付き平織カーペットの製造方法は、前記裏面に前記接着剤を噴霧又は塗布して前記滑り止めネットを貼り付けた後、前記帯状の布材をさらに設けることを特徴とする。
【発明の効果】
【００１７】
上記構成を有する本発明の滑り止め付き平織カーペットは、その風合いを維持しつつ、裏面に貼り付けられた滑り止めネットが剥離するのを防止することができる。
【図面の簡単な説明】
【００１８】
【図１】本発明の一実施例による滑り止め付き平織カーペットを示す概略断面図である。
【図２】本発明の一実施例による滑り止め付き平織カーペットを示す概略平面図である。
【図３】滑り止めネットの一例を示す概略拡大図である。
【図４】本発明の一実施例による滑り止め付き平織カーペットを示す概略拡大断面図である。
【図５】平織カーペットの一例を示す写真である。
【図６】平織カーペットの別の例を示す写真である。
【図７】平織カーペットのさらに別の例を示す写真である。
【発明を実施するための形態】
【００１９】
本発明の実施形態を添付図面を参照して詳細に説明する。また下記説明は限定的ではなく、本発明の技術的思想の範囲内で種々の変更をしても良い。
【００２０】
図１〜４は本発明の一実施態様である滑り止め付き平織カーペット１を示す。滑り止め付き平織カーペット１は、縦糸2aと横糸2bとを交互に通して上下に交差させ、表面及び裏面に縦糸2a及び横糸2bによる凹凸を形成した平織カーペット２と、平織カーペット２の裏面に貼り付けられ、空隙部3a，3bが二次元配列した網目状の滑り止めネット３と、平織カーペット２の裏面の周縁部にさらに設けられた帯状の布材４とを備え、滑り止めネット３の周縁部が平織カーペット２と帯状の布材４とにより挟んで固定されている。
【００２１】
[1] 平織カーペット
平織カーペットとは、縦糸と横糸とを交互に通して上下に交差させ、表面及び裏面に縦糸及び横糸による凹凸を形成したカーペットである。カーペットとは、主に屋内の床面に敷くための織物や敷物のことであり、絨毯やラグを含む。平織とは縦糸と横糸とを交差させて織るパイルのない織物を意味し、図１〜４の平織カーペット１のように交互に浮き沈みさせて織る単純な組織から、キリム等の綴れ織，ジジム織，スマック織等も含む。
【００２２】
図５〜７に本発明に用いる平織カーペットの例を示す。図５に平織カーペットは、横糸１本が縦糸２本の下と縦糸１本の上を交互に通っており、縦糸１本が横糸２本の上と縦糸１本の下を交互に通っており、縦糸と横糸の交差点が斜めにずれた構成を有している。縦糸及び横糸がそれぞれ複数本の横糸及び縦糸と一度に交差する組織を備えることにより、平織カーペットの表面及び裏面の凹凸形状が大きくなる。図６に示す平織カーペットは、縦糸及び横糸を特殊な方法により上下に交差させることにより、表面及び裏面に大きな凹凸形状を設けている。また図７に示す平織カーペットは、複数本に編み込んだ縦糸及び横糸を複雑に交差させた構成を有している。このように太く編み込んだ縦糸及び横糸を用いることにより、平織カーペットの表面及び裏面に大きな凹凸形状を設けることができる。またこのような表面及び裏面に大きな凹凸形状を有する平織カーペットはいずれも本発明を適用するのに好適である。
【００２３】
平織カーペットが太い縦糸と横糸を用いた手織りのカーペットであると、裏面に大きな凹凸構造を形成するため、本発明を適用するのに特に好適である。手織りの平織カーペットの縦糸及び横糸はそれぞれ１cm当たり８本以下であるのが好ましく、７本以下であるのがより好ましい。縦糸と横糸の太さが異なっていても良い。また図５〜７に示すように、複数本の縦糸及び横糸を一度に上下に交差させて大きな凹凸形状を設ける場合、その凹凸の周期は１cm当たり３周期以下であるのが好ましく、２周期以下でも良い。
【００２４】
縦糸と横糸の材質は特に限定されないが、羊毛，綿，木綿，絹，麻，竹，い草，籐等の天然繊維やレーヨン，ナイロン，アクリル，ポリプロピレン，ポリエステル等の化学繊維の一種又は組み合わせを用いることができ、羊毛が特に好ましい。
【００２５】
平織カーペットの大きさは特に限定されないが、一辺が50 cm〜150 cm程度の小型〜中型のカーペットであると、本発明を適用するのに特に好適である。
【００２６】
[2] 滑り止めネット
滑り止めネットは、空隙部が二次元配列した網目状のネットである。網目状の滑り止めネットを凹凸構造を有する平織カーペットの裏面に貼り付けることにより、滑り止めネットの網目が平織カーペットの裏面の凹凸構造に追従するように接着されるため、平織カーペットの凹凸構造による風合いを損なうことなく、平織カーペットの裏面に滑り止め機能を付与することができる。
【００２７】
滑り止めネットの表面空隙率は20〜80％であるのが好ましい。表面空隙率とは、滑り止めネットの表面積に対する空隙部の表面積の割合である。滑り止めネットの表面空隙率が20％未満であると、滑り止め機能が十分ではない上に、滑り止めネットが平織カーペットの裏面から剥離しやすくなる。滑り止めネットの表面空隙率が80％超であると、平織カーペットの風合いを損なうため望ましくない。滑り止めネットのより好ましい表面空隙率は20〜70％であるのがより好ましく、30〜60％であるのがさらに好ましく、30〜50％であるのが最も好ましい。
【００２８】
滑り止めネットの空隙部の形状は特に限定されないが、円形，正方形等の等方性の形状でも良く、長方形，楕円形等の異方性のある形状でも良い。特に、滑り止めネットの異方性のある形状を有する空隙部のアスペクト比は平均で２以上であるのが好ましい。図３に示すように、滑り止めネットの空隙部は異方性の形状のもの（空隙部3a）と、等方性のある形状のもの（空隙部3b）を組み合わせて用いても良い。また縦糸及び横糸のうち表に出る糸の方向を向いて配列しているのが好ましい。それにより、平織カーペットの凹凸構造による風合いを損なうことなく、平織カーペットの裏面に滑り止め機能を付与することができる。
【００２９】
滑り止めネットの材質は特に限定されないが、平織カーペットの裏面の凹凸構造に追従できるような柔軟性を有し、ジャングルテストに耐えられるものが望ましく、ポリ塩化ビニル、シリコーン樹脂、アクリル樹脂又はポリウレタンからなるのが好ましく、強度や耐候性に優れるポリ塩化ビニルが特に好ましい。滑り止めネットは適度な粘着性を備えていても良い。
【００３０】
滑り止めネットは平織カーペットの裏面に接着剤により貼り付けられているのが好ましい。接着剤の種類は特に限定されないが、滑り止めネットを平織カーペットの凹凸構造に追従するように接着できるように、ある程度接着力の強いものが望ましい。ジャングルテストに耐えられるものが望ましく、天然ゴム又は合成ゴムのラテックス系接着剤が特に好ましい。接着剤を噴霧又は塗布により平織カーペットの裏面に設けた後、滑り止めネットを貼り付けるのが好ましい。
【００３１】
[3] 帯状の布材
帯状の布材は、滑り止めネットが貼り付けられた平織カーペットの裏面の周縁部に取り付けられている。帯状の布材を平織カーペットの裏面の周縁部に設けることにより、滑り止めネットの周縁部を平織カーペットと帯状の布材とにより挟んで固定することができる。それにより、裏面に貼り付けられた滑り止めネットが剥離するのをさらに防止することができる。帯状の布材は、図１及び２に示すように、平織カーペットの裏面の四辺全ての周縁部に設けられている。
【００３２】
帯状の布材の幅は３〜７cmであるのが好ましい。帯状の布材の幅がこの範囲であれば、平織カーペットの風合いを損なうことなく、裏面に貼り付けられた滑り止めネットが剥離するのを防止することができる。帯状の布材の幅は４〜６cmであるのがより好ましい。
【００３３】
平織カーペットと帯状の布材の間には、滑り止めネットが全面に設けられていても良いが、滑り止めネットが面積比で50％以上設けられているのが好ましい。それにより、裏面に貼り付けられた滑り止めネットが剥離するのをさらに防止することができる。滑り止めネットが面積比で70％以上設けられているのがより好ましく、90％以上設けられているのがさらに好ましい。
【００３４】
帯状の布材を平織カーペットの裏面に取り付ける方法は特に限定されず、接着剤により貼り付けるのが好ましい。図１及び２に示すように、接着剤により貼り付けた後、さらに滑り止めネットを介して平織カーペットの裏面に周方向に沿って二重に縫い合わされているのが最も望ましい。内側のステッチAは帯状の布材の内周縁部に形成されており、外側のステッチBは滑り止めネットの外周縁部側になるように形成されているのが好ましい。それにより、滑り止めネットを平織カーペットの裏面に強固に固定することができる。
【００３５】
帯状の布材の材質は特に限定されないが、羊毛，綿，木綿，絹，麻，竹，い草，籐等の天然繊維やレーヨン，ナイロン，アクリル，ポリプロピレン，ポリエステル等の化学繊維の一種又は組み合わせを用いることができ、綿が特に好ましい。帯状の布材の材質は、平織カーペットと同じにしても良い。
【符号の説明】
【００３６】
１・・・滑り止め付き平織カーペット
２・・・平織カーペット
３・・・滑り止めネット
４・・・帯状の布材
【図１】
2020025795.tif 000003
【図２】
2020025795.tif 000004
【図３】
2020025795.tif 000005
【図４】
2020025795.tif 000006
【図５】
2020025795.tif 000007
【図６】
2020025795.tif 000008
【図７】
2020025795.tif 000009